(57)【要約】【課題】入力電源を昇圧回路で昇圧し補償容量の充放電電源として使用するとき、不必要な電力を消費するため液晶表示装置の消費電力を増やしている。【解決手段】独立ＣＣ（Ｃｈａｒｇｅ−Ｃｏｕｐｌｉｎｇ）駆動用の液晶表示パネルに、補償電圧を供給する電源装置であって、入力電源１０４からの入力を昇圧および降圧して、高低２種類の補償電圧を生成する補償電源回路１０２と、入力電源１０４からの入力をそのまま出力するバイパス線１０４ａと、補償電源回路１０２からの出力およびバイパス線１０４ａからの出力を入力し、高または低の補償電圧もしくは入力電源１０４からの入力のいずれかを選択して補償電力線１１８に出力する補償電源切替回路１００とを備えた。【選択図】  図１
2004205670.tif 000002
【特許請求の範囲】
【請求項１】
マトリックス状に配置された走査電極線および画像電極線と、前記走査電極線に対応して配置された、所定の周期で変動する高低２種類の電圧の補償電圧を供給する補償電極線と、前記走査電極線および前記画像電極線からの信号が入力される表示素子と、前記補償電極線からの信号が入力される補償キャパシタとを少なくとも有する独立ＣＣ（Ｃｈａｒｇｅ−Ｃｏｕｐｌｉｎｇ）駆動用の液晶表示パネルに、前記補償電圧を供給する電源装置であって、
外部電源からの入力を昇圧および降圧して、前記高低２種類の補償電圧を生成する補償電圧生成手段と、
前記外部電源からの入力をそのまま出力するバイパス手段と、
前記補償電圧生成手段からの出力および前記バイパス手段からの出力を入力し、高または低の前記補償電圧もしくは前記外部電源からの入力のいずれかを選択して前記補償電力線に出力する選択出力手段とを備え、
前記補償電圧が高から低に変動するとき、前記選択出力手段は、高の前記補償電圧、前記外部電源からの入力、低の前記補償電圧がこの順で出力されるよう選択を行い、
前記補償電圧が低から高に変動するとき、前記選択出力手段は、低の前記補償電圧、前記外部電源からの入力、高の前記補償電圧がこの順で出力されるよう選択を行う電源装置。
【請求項２】
前記補償電圧生成手段は、
前記外部電圧からの入力を昇圧または降圧する昇降圧手段と、
前記昇降圧手段からの出力を前記補償電力線に出力する前記高低２種類の補償電圧の信号に変換する変換手段とを備えた請求項１に記載の電源装置。
【請求項３】
マトリックス状に配置された走査電極線および画像電極線と、前記走査電極線に対応して配置された、所定の周期で変動する高低２種類の電圧の補償電圧を供給する補償電極線と、前記走査電極線および前記画像電極線からの信号が入力される表示素子と、前記補償電極線からの信号が入力される補償キャパシタとを少なくとも有する独立ＣＣ（Ｃｈａｒｇｅ−Ｃｏｕｐｌｉｎｇ）駆動用の液晶表示パネルと、
前記走査電極線、前記画像電極線および前記補償電極線にそれぞれ対応する信号を供給する信号供給手段とを備え、
前記信号供給手段は、請求項１または２に記載の電源装置を有し、前記補償信号線に、前記高低２種類の補償電圧の信号もしくは前記外部電源からの入力を供給する液晶表示装置。
【請求項４】
マトリックス状に配置された走査電極線および画像電極線と、前記走査電極線に対応して配置された、所定の周期で変動する高低２種類の電圧の補償電圧を供給する補償電極線と、前記走査電極線および前記画像電極線からの信号が入力される表示素子と、前記補償電極線からの信号が入力される補償キャパシタとを少なくとも有する独立ＣＣ（Ｃｈａｒｇｅ−Ｃｏｕｐｌｉｎｇ）駆動用の液晶表示パネルに、前記補償電圧を供給する電源供給方法であって、
外部電源からの入力を昇圧および降圧して、前記高低２種類の補償電圧を生成する補償電圧生成工程と、
前記外部電源からの入力をそのまま出力するバイパス工程と、
前記補償電圧生成工程からの出力および前記バイパス工程からの出力を入力し、高または低の前記補償電圧もしくは前記外部電源からの入力のいずれかを選択して前記補償電力線に出力する選択出力工程とを備え、
前記補償電圧が高から低に変動するとき、前記選択出力工程は、高の前記補償電圧、前記外部電源からの入力、低の前記補償電圧がこの順で出力されるよう選択を行い、
前記補償電圧が低から高に変動するとき、前記選択出力工程は、低の前記補償電圧、前記外部電源からの入力、高の前記補償電圧がこの順で出力されるよう選択を行う電源供給方法。
【発明の詳細な説明】
【０００１】
【発明の属する技術分野】
本発明は、テレビジョンなどの映像機器やコンピュータなどの情報機器や携帯電話のディスプレイとして有用な液晶表示装置およびそれに用いる電源装置に関するものである。
【０００２】
【従来の技術】
図５は、近年、よく使用されている独立ＣＣ（Ｃｈａｒｇｅ−Ｃｏｕｐｌｉｎｇ）駆動型の液晶表示装置のブロック図であり、図４、その詳細図であり、図３は、その駆動波形である（例えば、特許文献１を参照）。
【０００３】
図５において、１０１は補償電源、１０２は補償電源作成回路、５０３は従来の電源回路、１０４は液晶表示装置に入力される入力電源、１０７は電源回路制御信号、１０８は制御信号発生回路、１０９は走査電極信号電極制御信号、１１０は走査電極駆動回路群、１１１は信号電極駆動回路群、１１２は補償容量、１１３は液晶層、１１４は液晶パネルの画素トランジスタ、１１５は液晶パネルの画素、１１６は信号電極線、１１７は走査電極線、１１８は補償電極線、１１９対向電極である。
【０００４】
以上のように構成された従来の液晶表示装置の動作を下記に説明する。
【０００５】
図５に示す従来の液晶表示装置は、液晶パネル上に走査電極線１１７と信号電極１１６が設けられ、それぞれの交点には画素トランジスタ１１４が設けられており、画素トランジスタ１１４のゲート側には走査電極線１１７が、ソース側には信号電極線１１６が、ドレイン側には画素電極がつながり、画素電極と対抗電極の間には液晶層１１３が設置されている。
【０００６】
また、走査電極駆動回路群１１０は、補償電極線１１８を駆動する回路も搭載しており、補償電極線１１８につながっている補償電極と画素トランジスタ１１４のドレイン側に液晶層１１３と並列につながっている蓄積電極との間に補償容量１１２を構成し、補償電極線１１８でこの補償容量１１２を駆動する構成となっている。
【０００７】
この信号電極線１１６を駆動するのは、信号電極駆動回路群１１１であり、走査電極線１１７と報償電極線１１８を駆動するのが走査電極駆動回路群１１０である。
【０００８】
制御信号発生回路１０８では、入力信号に基づき、液晶表示装置に表示する画像を信号電極駆動回路群１１１に与える映像信号に加工したり、信号電極駆動回路群１１１を制御する制御信号を発生させたりし、走査電極信号電極制御信号１０９として、信号電極駆動回路群１１１や走査電極駆動回路群１１０に送り、また、入力信号１０２に基づき、従来の電源回路５０３を動作させる電源回路制御信号１０７を発生させ、従来の電源回路５０３へ送る。
【０００９】
従来の電源回路５０３では、電源回路制御信号１０７により、入力電圧１０４を使用して信号電極駆動回路群１１１と走査電極駆動回路群１１０で必要な電源を作成し、それぞれの電極駆動回路群に送るばかりでなく、補償電源作成回路１０２で補償電極線を駆動する補償電源１０１も作成する。
【００１０】
信号電極駆動回路群１１１では、従来の電源回路５０３よりの信号電極駆動用電源と制御信号発生回路１０８よりの映像信号と制御信号である信号電極駆動用信号により、信号電極信号を発生させ、信号電極線１１６を駆動する。
【００１１】
また、走査電極駆動回路群１１０では、従来の電源回路５０３よりの走査電極駆動用電源と制御信号発生回路１０８よりの制御信号である走査電極駆動用信号により、走査電極信号を発生させ、走査電極線１１７を駆動し、かつ、補償電源を使用して、補償電極信号を作成し、補償電極線１１８も駆動する。
【００１２】
このようにして、発生した信号電極信号と走査電極信号と補償電極信号とで液晶表示装置のそれぞれの画素に表示映像を表示させている。
【００１３】
ここで、図４を用いて従来の電源回路５０３の補償電源作成回路１０２についてもう少し詳しく下記に説明する。
【００１４】
図４において、４０１は昇圧回路、４０２は出力電源回路、４０３は補償電源回路である。
【００１５】
以上のように構成された従来の電源回路５０３の補償電源作成回路１０２の動作について、上記では触れなかった部分についての信号の流れを下記に説明する。
【００１６】
液晶表示装置の従来の電源回路５０３内の補償電源作成回路１０２は、昇圧回路４０１と、出力電源回路４０２と、補償電源回路４０３とで構成され、入力電源１０４を昇圧回路４０１で２〜３倍の電圧に一端昇圧し、出力電源回路４０２にて必要な電圧を作成し、たとえば、信号電極駆動回路群１１１で使用するアナログ電源ＡＶＤＤのような信号を作成する。これを電源として使用し、補償電源回路４０３で補償電源１０１を作成し、走査電極駆動回路群１１０に送り、補償電極線１１８を駆動する電源に使用する。
【００１７】
つぎに、図３の信号波形を使用して、上記で説明した液晶表示装置の駆動についてもう少し、詳しく説明する。
【００１８】
図３において、３０１は走査電極線１１７の１ライン目の信号波形Ｇ（１）、３０２は走査電極線１１７の２ライン目の信号波形Ｇ（２）、３０３は走査電極線１１７のｎライン目の信号波形Ｇ（ｎ）、３１１は補償電極線１１８の１ライン目の信号波形ＧＥ（１）、３１２は補償電極線１１８の２ライン目の信号波形ＧＥ（２）、３１３は補償電極線１１８のｎライン目の信号波形ＧＥ（ｎ）、である。
【００１９】
以上のように構成された波形で従来の液晶表示装置における信号について説明する。
【００２０】
画素１１５に内にある画素トランジスタ１１４は、走査電極信号であるＧ（１）３０１、Ｇ（２）３０２、・・・・、Ｇ（ｎ）３０３といった信号波形で、１ライン目、２ライン目、・・・・・ｎライン目と順次、オン／オフさせ、信号電極信号を導通させたり遮断したりする。
【００２１】
走査電極信号により、画素トランジスタ１１４がオンしている期間、信号電極信号が画素トランジスタ１１４を導通し画素電極に加えられ、規定された時間で信号電極信号側から液晶層１１３に一端、電荷を蓄積し、次に、走査電極信号により、画素トランジスタ１１４をオフにさせ、画像情報をホールドする。
【００２２】
次に、画素トランジスタ１１４をオフにさせたあとに、補償電極線１１８により、補償電極信号であるＧＥ（１）３１１、ＧＥ（２）３１２、・・・・、ＧＥ（ｎ）３１３といった信号波形で、走査電極線の信号にある一定期間遅れて１ライン目、２ライン目、・・・・・ｎライン目と順次前ラインとは逆極性で変化し、かつ、１Ｖ期間後は、同一ラインでも逆極性となるように駆動する。
【００２３】
これにより、画素トランジスタ１１４が、一端オフした後、信号電極と対向電極１１９との信号電位差と、補償容量１１２に蓄積された電位により、液晶層１１３に加わる電位差を変化させ、その加えられたトータルの電位によって液晶層１１３のねじれ角を制御し、このような動作を全ての画素で走査線単位に行うことにより、液晶表示装置に映像を表示する。
【００２４】
【特許文献１】
特開平０２−０００９１３号公報
【００２５】
【発明が解決しようとする課題】
従来のＣＣ駆動による液晶表示装置の動作は、以上のようなものであるが、しかしながら、図３の補償電極線１１８に加えられる補償電極信号波形で表示を行っているとき、信号レベル負側から信号レベル正側へ到達するときや、または、信号レベル正側から信号レベル負側へ到達するときは、補償容量１１２に充電あるいは放電させる電荷つまり電流は、入力電源１０４を昇圧動作をさせた電圧からすべて供給されるため従来の電源回路５０３の昇圧回路４０１の昇圧値が大きければ大きいほど入力電源１０４に流れる電流は大きくなる。
【００２６】
たとえば、補償電極線１１８の駆動電源である補償回路駆動電圧１０５の電圧値ＶＧＥが、入力電源１０４の電圧値ＶＣＣの２倍であった場合、昇圧回路４０１は、入力電源１０４を２倍以上に持ち上げる必要があるため、逆に、昇圧回路４０１に流れる電流の値ＩＶＣＣは、入力電源１０４の電流値ＩＶＧＥに換算するとき、２倍になる。つまり、ＶＧＥ＝２ＶＣＣ、ＩＶＣＣ＝２ＩＶＧＥの関係があることになる。
【００２７】
補償電極線の電位、つまり、補償電源回路４０３で作られる補償電極線駆動電圧１０５が電位的に飽和到達するまで、補償電源回路４０３は電流を流し続ける。
【００２８】
これにより、仮に、従来の電源回路１０３の損失がなかった場合、これを入力電源１０４に換算すると、入力電源電流は、補償電源回路４０３に流れる電流の２倍の値をとることとなるが、実際は、必ず、従来の電源回路１０３で損失があるため、さらにこの電流が増えることになる。
【００２９】
つまり、補償電極駆動電圧１０５を入力電源１０４より昇圧して作ることにより、不必要な電力を消費続け、液晶表示装置の消費電力を増やしていることとなっている。
【００３０】
本発明は、かかる点に鑑み、上記の課題となる、消費電力として、補償電極に供給される電圧を抑制する構成となり、低消費電力を実現する液晶表示装置を提供することを目的とするものである。
【００３１】
【課題を解決するための手段】
上記の目的を達成するために、第１の本発明は、マトリックス状に配置された走査電極線（１１７）および画像電極線（１１６）と、前記走査電極線に対応して配置された、所定の周期で変動する高低２種類の電圧の補償電圧を供給する補償電極線（１１８）と、前記走査電極線および前記画像電極線からの信号が入力される表示素子（１１３，１１５，１１９）と、前記補償電極線からの信号が入力される補償キャパシタ（１１２）とを有するＣＣ（Ｃｈａｒｇｅ−Ｃｏｕｐｌｉｎｇ）駆動用の液晶表示パネルに、前記補償電圧を供給する電源装置であって、
外部電源からの入力を昇圧および降圧して、前記高低２種類の補償電圧を生成する補償電圧生成手段（１０２）と、
前記外部電源からの入力をそのまま出力するバイパス手段（１０４ａ）と、
前記補償電圧生成手段からの出力および前記バイパス手段からの出力を入力し、高または低の前記補償電圧もしくは前記外部電源からの入力のいずれかを選択して前記補償電力線に出力する選択出力手段（１００）とを備え、
前記補償電圧が高から低に変動するとき、前記選択出力手段は、高の前記補償電圧、前記外部電源からの入力、低の前記補償電圧がこの順で出力されるよう選択を行い、
前記補償電圧が低から高に変動するとき、前記選択出力手段は、低の前記補償電圧、前記外部電源からの入力、高の前記補償電圧がこの順で出力されるよう選択を行う電源装置である。
【００３２】
また、第２の本発明は、前記補償電圧生成手段は、
前記外部電圧からの入力を昇圧または降圧する昇降圧手段（４０１）と、
前記昇降圧手段からの出力を前記補償電力線に出力する前記高低２種類の補償電圧の信号に変換する変換手段（４０３）とを備えた第１の本発明の電源装置である。
【００３３】
また、第３の本発明は、マトリックス状に配置された走査電極線（１１７）および画像電極線（１１６）と、前記走査電極線に対応して配置された、所定の周期で変動する高低２種類の電圧の補償電圧を供給する補償電極線（１１８）と、前記走査電極線および前記画像電極線からの信号が入力される表示素子（１１３，１１５，１１９）と、前記補償電極線からの信号が入力される補償キャパシタ（１１２）とを有するＣＣ（Ｃｈａｒｇｅ−Ｃｏｕｐｌｉｎｇ）駆動用の液晶表示パネルと、
前記走査電極線、前記画像電極線および前記補償電極線にそれぞれ対応する信号を供給する信号供給手段（１１０、１１１）とを備え、
前記信号供給手段は、第１または第２の本発明の電源装置を有し、前記補償信号線に、前記高低２種類の補償電圧の信号もしくは前記外部電源からの入力を供給する液晶表示装置である。
【００３４】
また、第４の本発明は、マトリックス状に配置された走査電極線（１１７）および画像電極線（１１６）と、前記走査電極線に対応して配置された、所定の周期で変動する高低２種類の電圧の補償電圧を供給する補償電極線と、前記走査電極線および前記画像電極線からの信号が入力される表示素子と、前記補償電極線からの信号が入力される補償キャパシタとを有するＣＣ（Ｃｈａｒｇｅ−Ｃｏｕｐｌｉｎｇ）駆動用の液晶表示パネルに、前記補償電圧を供給する電源供給方法であって、
外部電源からの入力を昇圧および降圧して、前記高低２種類の補償電圧を生成する補償電圧生成工程と、
前記外部電源からの入力をそのまま出力するバイパス工程と、
前記補償電圧生成工程からの出力および前記バイパス工程からの出力を入力し、高または低の前記補償電圧もしくは前記外部電源からの入力のいずれかを選択して前記補償電力線に出力する選択出力工程とを備え、
前記補償電圧が高から低に変動するとき、前記選択出力工程は、高の前記補償電圧、前記外部電源からの入力、低の前記補償電圧がこの順で出力されるよう選択を行い、
前記補償電圧が低から高に変動するとき、前記選択出力工程は、低の前記補償電圧、前記外部電源からの入力、高の前記補償電圧がこの順で出力されるよう選択を行う電源供給方法である。
【００３５】
【発明の実施の形態】
以下に本発明を、その実施の形態を示す図面に基づいて説明する。
【００３６】
（実施の形態１）
図１に、本発明の実施の形態による液晶表示装置の構成図を示し、図２に、その信号波形を示す。
【００３７】
図１において、１００は補償電源切替回路、１０１は補償電源、１０２は補償電源作成回路、１０３は電源回路、１０４は液晶表示装置に入力される入力電源、１０５は補償電極線駆動電圧、１０６は補償電極駆動電源制御信号、１０７は電源回路制御信号、１０８は制御信号発生回路、１０９は走査電極信号電極制御信号、１１０は走査電極駆動回路群、１１１は信号電極駆動回路群、１１２は補償容量、１１３は液晶層、１１４は、本発明の液晶パネルの画素トランジスタ、１１５は液晶パネルの画素、１１６は信号電極線、１１７は走査電極線、１１８は補償電極線、１１９は対向電極である。また、１０４ａは、補償電源切替回路１００と入力電源１０４とを接続するバイパス線である。
【００３８】
以上のように構成された、本発明の実施の形態による液晶表示装置について説明するとともに、これにより、本発明の電源供給方法の一実施の形態について説明を行う。
【００３９】
本実施の形態の液晶表示装置の電源回路１０３は、従来の電源回路５０３とは異なり、補償電源作成回路１０２で作成した補償電源１０１と、バイパス線１０４ａを介して直接入力される入力電源１０４とを、補償電極駆動電源制御信号１０６により、１水平期間中の任意の規定された時間で切り替える補償電源切替回路１００を内蔵しており、補償電源１０１と入力電源１０４とを切替え、そのうちのいずれかを走査電極駆動回路群１０９に入力し、補償電極線１１８を駆動する信号を作成し、補償容量１１２に電荷を充放電する構成となっている。
【００４０】
つぎに、図２の信号波形を使用して、上記で説明した構成で、補償電極線１１８に接続された補償容量１１２を駆動する補償電源１０１と、入力電源１０４との切替えについて、もう少し詳しく説明する。
【００４１】
図２において、２０１は従来の補償電源からの電圧ＶＧＥｎの正極変化波形、２１１は従来の補償電源からの電圧ＶＧＥｎの負極変化波形、２０２は本実施の形態の補償電源１０１からの電圧ＶＧＥｎの正極変化波形、２１２は本実施の形態の補償電源１０１からの電圧ＶＧＥｎの負極変化波形である。
【００４２】
ここでは、説明を簡単にするため、入力電圧１０４が２倍であるものとして説明する。
【００４３】
まず、電源回路１０３において、入力電圧１０４は昇圧回路４０１により昇圧される。電圧レベルを入力電源１０４から補償電源回路４０３で使用できる電源を出力電源回路４０２で作成し、電圧値が持ち上げられる。この２倍に昇圧された電源を使用して、補償電源回路４０３で補償電極線駆動電圧１０５を作成し、最終的には、走査電極駆動回路群１１０で補償電極線１１８の駆動電圧を作成する。
【００４４】
通常、補償電極線１１８の信号レベルが従来の電圧ＶＧＥｎの正極変化波形２０１のように負側から正側へ到達するときや、従来の電圧ＶＧＥｎの負極変化波形２１１のように信号レベルが正側から負側へ到達するときは、補償容量に充電あるいは放電させる電荷つまり電流は、入力電圧１０４を昇圧動作をさせた電圧を使用した補償電源回路４０３からすべて供給されるため、補償電極回路４０３に流れる電流は、入力電源１０４の値に換算すると、その２倍になる。
【００４５】
つまり、補償電極線駆動電圧１０５である電圧ＶＧＥ＿Ｈｉは、入力電源１０４の電圧をＶＣＣとして計算式で表すと、
【００４６】
【数１】
ＶＣＣ＜ＶＧＥ＿Ｈｉ≦２ＶＣＣ
となり、補償電極線駆動電圧１０５に流れる電流ＩＶＧＥと入力電源１０４に流れる電流ＩＶＣＣの関係を計算式で表すと、
【００４７】
【数２】
ＩＶＣＣ＝２ＩＶＧＥ
となる。
【００４８】
ここで、本実施の形態では、補償電極線１１８の信号レベルが負側から正側へ到達するとき、つまり補償容量１１２を充電するとき、１水平期間の所定の時間で、補償容量１１２を負側の電位ＶＧＥ＿Ｌｏから入力電源１０４の電位ＶＣＣになるまで入力電源１０４から直接充電を行い、１水平期間の残りの期間で、入力電源１０４の電位ＶＣＣから補償電極線１１８の正側の電位ＶＧＥ＿Ｈｉまで、補償電源回路４０３の出力信号で充電を行うことにより、図２の正極変化波形２０２に示すように、補償容量１１２は２段階で充電されたことになる。
【００４９】
このとき補償電極線１１８に流れる電流値を入力電源１０４の電流値に換算すると、補償容量１１２が負側の電位から入力電源１０４の電位ＶＣＣまで充電される第１の期間は、入力電源１０４の１倍の電流となる一方、入力電源１０４の電位ＶＣＣから補償容量１１２の正側の電位ＶＧＥ＿Ｈｉまで充電される第２の期間は入力電源１０４の値の２倍になる。これは、補償電源回路４０３に流れる電流が２倍昇圧より作成されているためである。
【００５０】
これらを合計すると、入力電源１０４から補償容量線１１８へ供給される電流値ＩＶＧＥは、各段階に応じてそれぞれ下記のような値になる。つまり、上記第１の期間はＩＶＧＥ＝ＩＶＣＣ、上記第２の期間はＩＶＧＥ＝（１／２）ＩＶＣＣとなる。
【００５１】
ここで、上記第１の期間における電流値をＩ１とし、上記第２の期間における電流値をＩ２とすると、入力電源１０４に流れる電流値の総計は、従来では、（Ｉ１＋Ｉ２）×２となり、本実施の形態では、（Ｉ１＋Ｉ２）×２、となる。よって、両者の差は、（従来の電流値）−（本実施の形態の電流値）＝Ｉ１となり、本実施の形態は、従来例に比してＩ１分の電流を抑制でき、低電力化が可能となる。
【００５２】
実際は、必ず電源回路１０３の昇圧回路４０１で損失があるため、さらにこの電流が増えることになるが、入力電源１０４を直接入力した場合、損失は発生しないことにより、この損失を考慮すると、従来では、（Ｉ１＋Ｉ２）×２×（１＋損失率）となり、本実施の形態では、（Ｉ１＋Ｉ２）×２×（１＋損失率）となる。
【００５３】
したがって、昇圧回路４０１による損失を考慮した場合でも、（従来の電流値）−（本実施の形態の電流値）＝Ｉ１（１＋２×損失率分）となり、Ｉ１（１＋２×損失率分）の電流を抑制でき、低電力化が可能となる。
【００５４】
補償電源作成回路１０２にはたいてい損失があるため、損失が大きければ大きいほど、さらなる消費電力を低減できる効果が大きくなることになる。
【００５５】
一方、補償電極線１１８の信号レベルが正側の電位から負側の電位へ到達するとき、つまり補償容量１１２を放電するとき、１水平期間の所定の時間で、補償容量１１２を正側の電位ＶＧＥ＿Ｈｉから入力電源１０４の電位ＶＣＣになるまで入力電源１０４から直接的に放電を行い、１水平期間の残りの期間で、入力電源１０４の電位ＶＣＣから補償電極線１１８の負側の電位ＶＧＥ＿Ｌｏまで、補償電源回路４０３の出力信号で放電を行うことにより、図２の正極変化波形２１２に示すように、補償容量１１２は２段階で放電されたことになる。
【００５６】
このときにも、補償容量１２を充電した場合と同様の計算式が成り立ち、Ｉ１（１＋２×損失率分）の電流を抑制でき、低電力化が可能となる。
【００５７】
以上述べたように、本実施の形態によれば、補償容量１１２の充電期間および放電期間のそれぞれにおいて、全工程において補償電源作成回路１０２からの出力を用いるのではなく、所定の期間で入力電源１０４で直接充電、放電する工程を挟むことにより、不必要な電力の消費を抑制し、液晶表示装置の消費電力を低減できることとなる。
【００５８】
なお、上記の実施の形態において、入力電源１０４は本発明の外部電源に相当し、補償電源作成回路１０２は本発明の補償電圧作成手段に相当し、バイパス線１０４ａは本発明のバイパス手段に相当し、補償電源切替回路１００は、本発明の選択出力手段に相当する。また、昇圧回路４０１は本発明の昇降圧手段に相当し、補償電源回路４０３は本発明の変換手段に相当する。
【００５９】
また、正側の電位ＶＧＥ＿Ｈｉは本発明の高の補償電圧に相当し、負側の電位ＶＧＥ＿Ｌｏは本発明の低の補償電圧に相当し、入力電源１０４の電圧ＶＣＣは、本発明の外部電源からの入力の電圧に相当する。
【００６０】
また、走査電極駆動回路群１１０、信号電極駆動回路群１１１は本発明の信号供給手段を構成し、液晶層１１３、画素トランジスタ１１４、画素１１５、信号電極線１１６、走査電極線１１７、補償電極線１１８、対向電極１１９、補償容量１１２は本発明の液晶表示パネルを構成し、液晶層１１３，画素トランジスタ１１４，画素１１５，対向電極１１９は本発明の表示素子を構成し、補償容量１１２は本発明の補償キャパシタに相当する。
【００６１】
ただし本発明は上記の実施の形態に限定されるものではない。また、上記の実施の形態においては、液晶表示装置を例に説明を行ったが、独立ＣＣ駆動する液晶パネルに補償電圧を供給するための電源装置として実現してもよい。この場合、補償電源作成回路１０２において、補償電源回路４０３は出力電源回路４０２からの信号に基づき補償電源を生成していたが、昇圧回路４０１から直接生成する構成としてもよい。
【００６２】
また、昇圧率（もしくは降圧率）を２倍として説明したが、昇圧率（もしくは降圧率）は、１以上の数値であればどんな数値であってもよい。
【００６３】
また、本発明の所定の周期の一例として、補償電圧の正側と負側の間の電位の変動が行われる周期は１垂直同期期間（１Ｖ期間）であるとしたが、他の周期であってもよい。また、補償電圧の正側と負側との電位の変動そのものの期間は１水平同期期間（１Ｈ期間）であるとしたが、その間に外部電源の電圧で直接充電、放電する工程が挟まれる限り他の周期であってもよい。
【００６４】
【発明の効果】
以上説明したように、本発明は、昇圧回路での電流ロスを抑制することができ、その結果、消費電力を抑制することができる。
【図面の簡単な説明】
【図１】本発明の実施の形態における液晶表示装置の構成を示す図
【図２】本発明の実施の形態における液晶表示装置の信号波形を示す図
【図３】従来の液晶表示装置の信号波形を示す図
【図４】従来の液晶表示装置の電源回路の詳細構成図
【図５】従来の液晶表示装置の全体構成図
【符号の説明】
１００  補償電源切替回路
１０１  補償電源
１０２  補償電源作成回路
１０３  電源回路
１０４  液晶表示装置に入力される入力電源
１０５  補償電極線駆動電圧
１０６  補償電極駆動電源制御信号
１０７  電源回路制御信号
１０８  制御信号発生回路
１０９  走査電極信号電極制御信号
１１０  走査電極駆動回路群
１１１  信号電極駆動回路群
１１２  補償容量
１１３  液晶層
１１４  液晶パネルの画素トランジスタ
１１５  液晶パネルの画素
１１６  信号電極線
１１７  走査電極線
１１８  補償電極線
１１９  対向電極
２０１  従来の電位ＶＧＥｎの正極変化波形
２０２  従来の電位ＶＧＥｎの負極変化波形
２１１  本実施の形態の電位ＶＧＥｎの正極変化波形
２１２  本実施の形態の電位ＶＧＥｎの負極変化波形
３０１  走査電極線１１７の１ライン目の信号波形Ｇ１
３０２  走査電極線１１７の２ライン目の信号波形Ｇ２
３０３  走査電極線１１７のｎライン目の信号波形Ｇｎ
３１１  補償電極線１１８の１ライン目の信号波形ＧＥ１
３１２  補償電極線１１８の２ライン目の信号波形ＧＥ２
３１３  補償電極線１１８のｎライン目の信号波形ＧＥｎ
４０１  昇圧回路
４０２  出力電源回路
４０３  補償電源回路
５０３  従来の電源回路
【図１】
2004205670.tif 000003
【図２】
2004205670.tif 000004
【図３】
2004205670.tif 000005
【図４】
2004205670.tif 000006
【図５】
2004205670.tif 000007